(57)【要約】【課題】  紛失場所及び紛失時間を特定する携帯装置を実現する。【解決手段】  携帯装置は、携帯情報端末１及び携帯機器２から構成されている。携帯情報端末１は、携帯電話機能、インターネットとの通信機能、ＧＰＳ衛星４からの情報を受信する機能、携帯機器２との交信機能、守秘性を守るためのセキュリティ機能、及び常に新しい場所情報・時間情報を記憶する記憶機能を有する。携帯機器２は、時計機能、携帯情報端末１の守秘性を守るためのセキュリティ機能、携帯情報端末１との交信機能、及び常に新しい場所情報・時間情報を記憶する記憶機能を有する。そして、携帯情報端末１及び携帯機器２のいずれかを置き忘れたり、或いは紛失して場合には手元に残った携帯情報端末１或いは携帯機器２を用いて置き忘れたり、或いは紛失した場所・時間を特定できる。【選択図】  図１
2005260543.tif 000002
【特許請求の範囲】
【請求項１】
電波による公衆回線網との無線通信を行う公衆無線通信手段、全世界的測位システムによる位置検出を行うＧＰＳ位置情報演算手段、日時情報発生手段、近距離無線により情報を交信する第１の情報送受信手段、前記ＧＰＳ位置情報演算手段及び前記日時情報発生手段から常に新しい位置情報・日時情報を入手し、記憶する第１の記憶手段を有する携帯情報端末と、
前記近距離無線により前記携帯情報端末と情報を交信する第２の情報送受信手段、前記携帯情報端末から常に新しい前記携帯情報端末の位置情報・日時情報を記憶する第２の記憶手段を有する携帯機器と、
を具備し、前記携帯情報端末と前記携帯機器が前記近距離無線による交信範囲外になった場合に、前記携帯情報端末の交信範囲外になる直前の前記携帯情報端末の位置及び日時情報を第１及び第２の記憶手段に保存することを特徴とする紛失場所及び紛失時間を特定する携帯装置。
【請求項２】
電波による公衆回線網との無線通信を行う公衆無線通信手段、全世界的測位システムによる位置検出を行うＧＰＳ位置情報演算手段、外部から電波による日時情報を受信する日時情報受信手段、近距離無線により情報を交信する第１の情報送受信手段、前記ＧＰＳ位置情報演算手段及び前記日時情報受信手段から常に新しい位置情報・日時情報を入手し、記憶する第１の記憶手段を有する携帯情報端末と、
前記近距離無線により前記携帯情報端末と情報を交信する第２の情報送受信手段、前記携帯情報端末から常に新しい前記携帯情報端末の位置情報・日時情報を記憶する第２の記憶手段を有する携帯機器と、
を具備し、前記携帯情報端末と前記携帯機器が前記近距離無線による交信範囲外になった場合に、前記携帯情報端末の交信範囲外になる直前の前記携帯情報端末の位置及び日時情報を第１及び第２の記憶手段に保存することを特徴とする紛失場所及び紛失時間を特定する携帯装置。
【請求項３】
前記携帯情報端末及び前記携帯機器に守秘性を保つための相互認証手段を有し、前記近距離無線を用いて認証データの相互交信を行い、前記携帯情報端末と前記携帯機器が交信範囲外になった場合に、認証データの交換が不可能となり前記携帯情報端末が自動ロックされて使用できなくなることを特徴とする請求項１又は２に記載の紛失場所及び紛失時間を特定する携帯装置。
【請求項４】
前記携帯機器は、日時情報を算出し、表示する機能、或いは音楽情報を再生する機能を有することを特徴とする請求項１乃至３のいずれか１項に記載の紛失場所及び紛失時間を特定する携帯装置。
【請求項５】
電波による公衆回線網との無線通信を行う公衆無線通信手段、全世界的測位システムによる位置検出を行うＧＰＳ位置情報演算手段、日時情報発生手段、近距離無線により情報を交信する第１の情報送受信手段、前記ＧＰＳ位置情報演算手段及び前記日時情報発生手段から常に新しい位置情報・日時情報を記憶する第１の記憶手段を有する第１の携帯情報端末と、
電波による公衆回線網との無線通信を行う公衆無線通信手段、前記近距離無線により前記第１の携帯情報端末と情報を交信する第２の情報送受信手段、前記携帯情報端末から常に新しい前記第１の携帯情報端末の位置情報・日時情報を記憶する第２の記憶手段を有する第２の携帯情報端末と、
を具備し、前記第１の携帯情報端末と前記第２の携帯情報端末が前記近距離無線による交信範囲外になった場合に、前記第１の携帯情報端末の交信範囲外になる直前の前記第１の携帯情報端末の位置及び日時情報を第１及び第２の記憶手段に保存することを特徴とする紛失場所及び紛失時間を特定する携帯装置。
【発明の詳細な説明】
【技術分野】
【０００１】
本発明は、携帯情報端末間で相互に送受信して紛失場所及び紛失時間を特定する、或いは携帯情報端末と携帯機器の間で相互に送受信して紛失場所及び紛失時間を特定する携帯装置に関する。
【背景技術】
【０００２】
近年、携帯電話、ＰＤＡ（Personal  Digital  Assistant）、ゲーム機器、及びＰＨＳ等の通信機能を有する携帯情報端末の利用者が急増している。それと共に、デジカメ等を有する多機能で、多量の情報を取り扱える携帯情報端末が現れ、更に、テレビ並の動画スピードを持つ携帯電話、テレビ、及びデジカメ機能を備え、ＩＣタグ、無線ＬＡＮ、ＰＨＳ、赤外線通信等の通信方式に対応し、電子マネーや定期券の蓄積端末として使用できるブロードバンド携帯情報端末が現れている。  そして、これらの携帯情報端末と無線通信で相互交信し、携帯情報端末の守秘性を向上させることのできるセキュリティ機能を有する腕時計等の携帯機器も出現している。
【０００３】
携帯情報端末は、いつでもどこでも誰とでも通信できるという利便性に優れている。一方、紛失や盗難にあった場合には、機密情報の流失や他人による悪用等の危険性が高い。このため、利用者の認証カードが携帯情報端末へ送信する認証データにその携帯情報端末を使用することが可能な時間や場所等の制限条件を付加して状況に応じたきめ細かい認証を行い、携帯情報端末の利便性と不正利用を防ぐセキュリティを向上させている（例えば、特許文献１参照。）。また、使用者が誤って携帯情報端末を携帯することなく外出した場合には、アラームで通知し、第1の携帯情報端末（親機）を誤って紛失した場合には、第２の携帯情報端末（子機）を用いて第1の携帯情報端末（親機）の紛失場所を特定できるようにしている（例えば、特許文献２参照。）。
【０００４】
上述した携帯情報端末及び携帯機器においては、紛失したり、誤って置き忘れた場合に携帯情報端末及び携帯機器の紛失場所及び紛失時間の特定や、置き忘れ場所、置き忘れ時間の特定ができないという問題点がある。
【０００５】
更に、第1の携帯情報端末（親機）及び第２の携帯情報端末（子機）においては、紛失したり、誤って置き忘れた場合に第1の携帯情報端末（親機）及び第２の携帯情報端末（子機）紛失場所及び紛失時間の特定や、置き忘れ場所、置き忘れ時間の特定ができないという問題点がある。
【特許文献１】特開２００１−３５８８２７号公報（頁７、図１）
【特許文献２】特開２００２−２２３４７８号公報（頁７、図１及び４）
【発明の開示】
【発明が解決しようとする課題】
【０００６】
本発明は、携帯情報端末と携帯機器の間で交互に送受信し常に新しい場所情報及び日時情報を共有化し、或いは携帯情報端末間で交互に送受信し常に新しい場所情報及び日時情報を共有化して紛失場所及び紛失時間を特定する携帯装置を提供することにある。
【課題を解決するための手段】
【０００７】
上記目的を達成するために、本発明の一態様の紛失場所及び紛失時間を特定する携帯装置は、電波による公衆回線網との無線通信を行う公衆無線通信手段、全世界的測位システムによる位置検出を行うＧＰＳ位置情報演算手段、日時情報発生手段、近距離無線により情報を交信する第１の情報送受信手段、前記ＧＰＳ位置情報演算手段及び前記日時情報発生手段から常に新しい位置情報・日時情報を入手し、記憶する第１の記憶手段を有する携帯情報端末と、前記近距離無線により前記携帯情報端末と情報を交信する第２の情報送受信手段、前記携帯情報端末から常に新しい前記携帯情報端末の位置情報・日時情報を記憶する第２の記憶手段を有する携帯機器とを具備し、前記携帯情報端末と前記携帯機器が前記近距離無線による交信範囲外になった場合に、前記携帯情報端末の交信範囲外になる直前の前記携帯情報端末の位置及び日時情報を第１及び第２の記憶手段に保存することを特徴とする。
【０００８】
更に、本発明の他態様の紛失場所及び紛失時間を特定する携帯装置は、電波による公衆回線網との無線通信を行う公衆無線通信手段、全世界的測位システムによる位置検出を行うＧＰＳ位置情報演算手段、日時情報発生手段、近距離無線により情報を交信する第１の情報送受信手段、前記ＧＰＳ位置情報演算手段及び前記日時情報発生手段から常に新しい位置情報・日時情報を記憶する第１の記憶手段を有する第１の携帯情報端末と、電波による公衆回線網との無線通信を行う公衆無線通信手段、前記近距離無線により前記第１の携帯情報端末と情報を交信する第２の情報送受信手段、前記携帯情報端末から常に新しい前記第１の携帯情報端末の位置情報・日時情報を記憶する第２の記憶手段を有する第２の携帯情報端末とを具備し、前記第１の携帯情報端末と前記第２の携帯情報端末が前記近距離無線による交信範囲外になった場合に、前記第１の携帯情報端末の交信範囲外になる直前の前記第１の携帯情報端末の位置及び日時情報を第１及び第２の記憶手段に保存することを特徴とする。
【発明の効果】
【０００９】
本発明によれば、携帯情報端末と携帯機器の間で交互に送受信し、常に新しい場所情報及び日時情報を共有化し、或いは携帯情報端末間で交互に送受信し常に新しい場所情報及び日時情報を共有化して紛失場所及び紛失時間を特定する携帯装置を提供することができる。
【発明を実施するための最良の形態】
【００１０】
以下本発明の実施例について図面を参照しながら説明する。
【実施例１】
【００１１】
まず、本発明の実施例１に係る紛失場所及び紛失時間を特定する携帯装置について、図面を参照して説明する。図１は携帯情報端末及び携帯機器を示す説明図、図２は携帯情報端末及び携帯機器を示す概略ブロック図である。
【００１２】
図１に示すように、携帯装置は携帯情報端末１及び携帯機器２から構成されている。携帯情報端末１は、携帯電話機能、インターネットとの通信機能、ＧＰＳ衛星４からの情報を受信する機能、携帯機器２との交信機能、守秘性を保つためのセキュリティ機能、及び常に新しい場所情報・日時情報を記憶する記憶機能を有する。携帯機器２は、時計機能、携帯情報端末１の守秘性を保つためのセキュリティ機能、携帯情報端末１との交信機能、及び常に新しい場所情報・日時情報を記憶する記憶機能を有する。
【００１３】
基地局３は、携帯電話情報、インターネット情報等を携帯情報端末１に配信し、携帯情報端末１からの情報を受信する。そして、ＧＰＳ衛星４からの情報を受信する。ＧＰＳ衛星４は、正確な位置情報を算出するための信号を基地局３や携帯情報端末１等に送信し、あわせて原子時計を内蔵し、正確な時間を基地局３や携帯情報端末１に送信する。
【００１４】
ここで、携帯情報端末１の正確な位置を測位する方法は、まず、携帯情報端末１が基地局３や位置情報サーバに位置測定を依頼する。次に、位置情報サーバに蓄積してあるＧＰＳ衛星４の軌道データや基地局３の位置から携帯情報端末１の現在位置を計算する。続いて、位置計算結果を携帯情報端末１に連絡する。そして、位置情報サーバからの情報とＧＰＳ衛星４からの信号をもとに現在地を計算する。なお、測位方式としては、ＧＰＳ衛星４からの信号を受信して携帯情報端末１内でこの信号をもとに位置計算を行う方法や、ＧＰＳ衛星４から受けた信号を携帯情報端末１が位置情報として位置情報サーバに伝え、ＧＰＳ衛星４の軌道データを位置情報サーバに蓄積して携帯情報端末１からのデータとあわせて現在位置を計算し、このデータを携帯情報端末１が受信して利用する方法でもよい。
【００１５】
図２に示すように、携帯情報端末１は、主制御部１１、入力キー部１２、表示部１３、スピーカ１４、電源部１５、ＧＰＳ受信部１６、送受信部１７、受信部１８、送信部１９、スイッチ２０、記憶部２１、及びアンテナ３０、３１、３２を有している。
【００１６】
主制御部１１は、種々の処理プログラムを有し、携帯情報端末１内の各構成部への指示及び制御を行うマイクロコントローラとして機能する。入力キー部１２は、外部に露出した入力操作用で、緊急通報等の入力可能な入力キースイッチの集合体である。表示部１３は、入力キー部１２による操作内容や各種状態の表示を行う液晶ディスプレイから構成されている。スピーカ１４は、入力キー部１２の操作時の確認音や音声情報を出力する。電源部１５は、主制御部１１や携帯情報端末１内の各構成部へ電源供給を行う電池、及びこの電池を充電する充電回路を備えている。ＧＰＳ受信部１６は、アンテナ３０が受信したＧＰＳ衛星４から、例えば１．５ＧＨｚの受信信号を復調して受信データとして主制御部１１に送信する。送受信部１７は、アンテナ３１が受信し、基地局３から送信された信号を復調し受信データとして主制御部１１に送信したり、主制御部１１から出力された送信データを変調しアンテナ３１から外部に出力する。受信部１８は、携帯機器２からアンテナ３３を介して送信された信号をアンテナ３２、スイッチ２０を介して受信し、受信した信号を復調して主制御回路１１に送信する。送信部１９は、主制御部１１から出力された送信データを変調しスイッチ２０、アンテナ３２を介して携帯機器２に送信する。記憶部２１は、認証データを格納し、測位された携帯情報端末１の位置情報及びＧＰＳから送信された日時情報を格納する。
【００１７】
そして、この位置情報及び日時情報は、アンテナ３２、３３を介して無線を用いて携帯機器２に送信される。ここで、この位置情報及び日時情報は、定期的に更新されて常に最新情報が記憶部２１に格納される。携帯情報端末１と携帯機器２の交信方法は、３００ＭＨｚ帯の近距離無線を用いている。なお、交信方法としては、非接触赤外線方式、或いは２．４ＧＨｚのＢｌｕｅｔｏｏｔｈ（Ｒ）を用いてもよい。
【００１８】
一方、携帯機器２は、アンテナ３３、主制御部４１、電源部４２、受信部４３、送信部４４、スイッチ４５、記憶部４６、及び表示部４７を有している。なお、携帯機器２の時計機能については説明を省略する。
【００１９】
主制御部４１は、種々の処理プログラムを有し、携帯機器２内の各構成部への指示及び制御を行う。電源部４２は、主制御部４１や携帯機器２内の各構成部へ電源供給を行う電池、及びこの電池を充電する充電回路を備えている。受信部４３は、携帯情報端末１から送信された信号をアンテナ３３、スイッチ４５を介して受信し、受信した信号を復調して主制御回路４１に送信する。送信部４４は、主制御回路４１から出力された送信データを変調してスイッチ４５、アンテナ３３を介して携帯情報端末１に送信する。表示部４７は、日時情報や携帯情報端末１からの情報等を表示する液晶ディスプレイから構成されている。記憶部４６は、認証データを格納し、携帯情報端末１から送信される位置情報及び日時情報を格納する。
【００２０】
ここで、この位置情報及び日時情報は、定期的に更新されて常に最新情報が記憶部４６に格納される。携帯情報端末１と携帯機器２のセキュリティの方法は、携帯情報端末１と携帯機器２が互いに近距離無線を用いて、所有者の確認作業を行うことなく認証データの交信を定期的に行う。携帯情報端末１と携帯機器２の距離が近距離無線の受信範囲外になると認証データの交換ができなくなり、携帯情報端末１は自動的にロックされて使用できなくなる。
【００２１】
次に、携帯情報端末及び携帯機器の紛失場所及び紛失時間を特定する方法について説明する。図３は携帯情報端末及び携帯機器の動作を示す説明図であり、図３（ａ）は携帯情報端末及び携帯機器が交信範囲内であることを示す図、図３（ｂ）は携帯情報端末及び携帯機器が交信範囲外であることを示す図である。ここで、携帯情報端末サービスの使用契約に加入している利用者１０は、携帯情報端末１及び携帯機器２を常に携帯している。
【００２２】
図３に示すように、携帯情報端末１及び携帯機器２が近距離無線の交信範囲内の場合には、携帯情報端末１の位置情報及び日時情報は、定期的に更新されて常に最新情報が記憶部２１及び４６に格納される。そして、利用者１０が携帯情報端末１及び携帯機器２のいずれかを置き忘れたり、或いは紛失して携帯情報端末１及び携帯機器２が近距離無線の交信範囲外になると、相互交信できなくなり交信範囲外になる直前の携帯情報端末１の位置情報及び日時情報が記憶部２１及び４６に保存される。
【００２３】
ここで、正確な日時情報を得る方法として、ＧＰＳ衛星４の代わりに携帯機器２の時計機能を用いてもよい。その場合には電波腕時計が好ましい。
【００２４】
上述したように、本実施例の紛失場所及び紛失時間を特定する携帯装置では、
携帯情報端末１及び携帯機器２が近距離無線を用いて定期的に交信し、携帯情報端末１の最新の位置情報及び日時情報を共有し、更新している。そして、携帯情報端末１及び携帯機器２のいずれかを置き忘れたり、或いは紛失して場合には手元に残った携帯情報端末１或いは携帯機器２を用いて置き忘れたり、或いは紛失した場所・時間を特定でき、この情報を表示部に表示できる。
【００２５】
更に、携帯情報端末１及び携帯機器２は近距離無線を用いて定期的に認証データの交信を定期的に行い、携帯情報端末１及び携帯機器２が所定の距離以上離間すると、携帯情報端末１は自動的にロックされて使用できなくなるので、携帯情報端末１の機密情報の流出や他人による携帯情報端末１の悪用を防止することができる。
【００２６】
なお、本実施例では、携帯情報端末１に携帯電話機能、インターネットとの通信機能、デジカメ機能、ＧＰＳ衛星４からの情報を受信する機能、携帯機器２との交信機能、守秘性を守るためのセキュリティ機能、及び常に新しい場所情報・日時情報を記憶する記憶機能を持たせているが、デジカメ機能、ＰＣ機能、或いはＴＶ表示機能を付加してもよい。また、携帯機器２に時計機能の代わりに携帯型の音楽再生機能やゲーム機能を付加してもよい。この場合には、位置情報及び日時情報を表示する表示機能も付加するのが好ましい。
【実施例２】
【００２７】
次に、本発明の実施例２に係る紛失場所及び紛失時間を特定する携帯装置について、図面を参照して説明する。図４は携帯情報端末を示す説明図、図５は携帯情報端末を示す概略ブロック図である。
【００２８】
以下、本実施例において、実施例１と同一構成部分には、同一符号を付してその部分の説明は省略し、異なる構成部分のみ説明する。
【００２９】
図４に示すように、携帯装置は第1の携帯情報端末（親機）５と第２の携帯情報端末（子機）６から構成されている。第１の携帯情報端末（親機）５は、携帯電話機能、インターネットとの通信機能、ＧＰＳ衛星４からの情報を受信する機能、第２の携帯情報端末（子機）６との交信機能、タイマーのように日付や時刻を表示し、記憶するＲＴＣ（real  time  clock）機能、及び常に新しい場所情報・日時情報を記憶する記憶機能を有し、ＲＴＣ機能以外は実施例１の携帯情報端末１と同じ構成である。
【００３０】
第２の携帯情報端末（子機）６は、携帯電話機能、インターネットとの通信機能、第1の携帯情報端末（親機）５との交信機能、タイマーのように日付や時刻を表示し、記憶するＲＴＣ（real  time  clock）機能、及び常に新しい場所情報・日時情報を記憶する記憶機能を有する。基地局３は、携帯電話情報、インターネット情報等を第1の携帯情報端末（親機）５と第２の携帯情報端末（子機）６に配信し、第1の携帯情報端末（親機）５と第２の携帯情報端末（子機）６からの情報を受信する。
【００３１】
図５に示すように、第1の携帯情報端末（親機）５は、主制御部１１、入力キー部１２、表示部１３、スピーカ１４、電源部１５、ＧＰＳ受信部１６、送受信部１７、受信部１８、送信部１９、スイッチ２０、記憶部２１、ＲＴＣ部７０、及びアンテナ３０、３１、３２を有している。ＲＴＣ部７０は、主制御部１１の指令により、タイマーのように日付や時刻の制御を行い、この情報を主制御部１１に送信する。このため、原子時計を内蔵するＧＰＳ衛星４等の外部からの電波がない場合でも日付や時刻の表示及び記憶が可能である。なお、原子時計を内蔵するＧＰＳ衛星４からの時間情報は、ＲＴＣ部７０からの時間情報より正確なので、主制御部１１の指令により、随時ＲＴＣ部７０の時間情報をリセットするのが好ましい。
【００３２】
第２の携帯情報端末（子機）６は、主制御部５１、入力キー部５２、表示部５３、スピーカ５４、電源部５５、送受信部５６、受信部５７、送信部５８、スイッチ５９、記憶部６０、ＲＴＣ部７１、及びアンテナ３４、３５、を有している。
【００３３】
主制御部５１は、種々の処理プログラムを有し、第２の携帯情報端末（子機）６内の各構成部への指示及び制御を行うマイクロコントローラとして機能する。入力キー部５２は、外部に露出した入力操作用で、緊急通報等の入力可能な入力キースイッチの集合体である。表示部５３は、入力キー部５２による操作内容や各種状態の表示を行う液晶ディスプレイから構成されている。スピーカ５４は、入力キー部５２の操作時の確認音や音声情報を出力する。電源部５５は、主制御部５１や第２の携帯情報端末（子機）６内の各構成部へ電源供給を行う電池、及びこの電池を充電する充電回路を備えている。送受信部５７は、アンテナ３４が受信し、基地局３から送信された信号を復調し受信データとして主制御部５１に送信したり、主制御部５１から出力された送信データを変調しアンテナ３４から外部に出力する。受信部５７は、第１の携帯情報端末（親機）５からアンテナ３２を介して送信された信号をアンテナ３５、スイッチ５９を介して受信し、受信した信号を復調して主制御回路５１に送信する。送信部５８は、主制御部５１から出力された送信データを変調しスイッチ５９、アンテナ３５を介して第１の携帯情報端末（親機）５に送信する。ＲＴＣ部７１は、主制御部５１の指令により、タイマーのように日付や時刻の制御を行い、この情報を主制御部５１に送信する。記憶部６０は、第１の携帯情報端末（親機）５から送信された第１の携帯情報端末（親機）５の位置情報及び日時情報を格納する。
【００３４】
ここで、第１の携帯情報端末（親機）５の位置情報及び日時情報は、定期的に更新されて常に最新情報が第１の携帯情報端末（親機）５の記憶部２１、及び第２の携帯情報端末（子機）の記憶部６０に格納される。
【００３５】
上述したように、本実施例の紛失場所及び紛失時間を特定する携帯装置では、第１の携帯情報端末（親機）５及び第２の携帯情報端末（子機）６が近距離無線を用いて定期的に交信し、第１の携帯情報端末（親機）５の最新の位置情報及び日時情報を共有し、更新している。そして、第１の携帯情報端末（親機）５及び第２の携帯情報端末（子機）６のいずれかを置き忘れたり、或いは紛失して場合には手元に残った第１の携帯情報端末（親機）５或いは第２の携帯情報端末（子機）６を用いて置き忘れたり、或いは紛失した場所・時間を特定でき、この情報を表示部に表示できる。
【００３６】
更に、第１の携帯情報端末（親機）５及び第２の携帯情報端末（子機）６には、日時や時刻を表示及び記憶するＲＴＣ機能が設けられているので、ＧＰＳ衛星４の電波に時間情報がない場合でも時間を特定することができる。
【実施例３】
【００３７】
次に、本発明の実施例３に係る紛失場所及び紛失時間を特定する携帯装置について、図面を参照して説明する。図６はＰＨＳ（personal  handyphone  system）端末を示す説明図である。
【００３８】
以下、本実施例において、実施例１と同一構成部分には、同一符号を付してその部分の説明は省略し、異なる構成部分のみ説明する。
【００３９】
図１に示すように、携帯装置はＰＨＳ端末１ａ及び携帯機器２から構成されている。ＰＨＳ端末１ａは、携帯電話機能、インターネットとの通信機能、携帯機器２との交信機能、守秘性を保つためのセキュリティ機能、タイマーのように日付や時刻を表示し、記憶するＲＴＣ機能、及び常に新しい場所情報・日時情報を記憶する記憶機能を有する。携帯電話機能及びインターネットとの通信機能は、ＰＨＳ基地局３ａとの間で送受信される情報にもとづくものである。
【００４０】
携帯機器２は、時計機能、ＰＨＳ端末１ａの守秘性を保つためのセキュリティ機能、ＰＨＳ端末１ａとの交信機能、及び常に新しい場所情報・日時情報を記憶する記憶機能を有する。
【００４１】
ここで、この位置情報及び日時情報は、定期的に更新されて常に最新情報がＰＨＳ端末１ａ及び携帯機器２の記憶部に格納される。ＰＨＳ端末１ａと携帯機器２のセキュリティの方法は、ＰＨＳ端末１ａと携帯機器２が互いに近距離無線を用いて、所有者の確認作業を行うことなく認証データの交信を定期的に行う。ＰＨＳ端末１ａと携帯機器２の距離が近距離無線の受信範囲外になると認証データの交換ができなくなり、ＰＨＳ端末１ａは自動的にロックされて使用できなくなる。
【００４２】
ＰＨＳ端末１ａ及び携帯機器２が近距離無線の交信範囲内の場合には、ＰＨＳ端末１ａの位置情報及び日時情報は、定期的に更新されて常に最新情報がそれぞれの記憶部に格納される。そして、利用者１０がＰＨＳ端末１ａ及び携帯機器２のいずれかを置き忘れたり、或いは紛失してＰＨＳ端末１ａ及び携帯機器２が近距離無線の交信範囲外になると、相互交信できなくなり交信範囲外になる直前のＰＨＳ端末１ａの位置情報及び日時情報がそれぞれの記憶部に保存される。ここで、ＰＨＳ端末１ａの位置情報とは、ＰＨＳ端末１ａが送受信するＰＨＳ基地局３ａの存在する位置の周辺であり、ＰＨＳ端末１ａの受信範囲内、例えば、数十ｍ以内を示す。
【００４３】
上述したように、本実施例の紛失場所及び紛失時間を特定する携帯装置では、ＰＨＳ端末１ａ及び携帯機器２が近距離無線を用いて定期的に交信し、ＰＨＳ端末１ａの最新の位置情報及び日時情報を共有し、更新している。そして、ＰＨＳ端末１ａ及び携帯機器２のいずれかを置き忘れたり、或いは紛失して場合には手元に残ったＰＨＳ端末１ａ或いは携帯機器２を用いて置き忘れたり、或いは紛失した場所・時間を特定でき、この情報を表示部に表示できる。
【００４４】
更に、ＰＨＳ端末１ａ及び携帯機器２は近距離無線を用いて定期的に認証データの交信を定期的に行い、ＰＨＳ端末１ａ及び携帯機器２が所定の距離以上離間すると、ＰＨＳ端末１ａは自動的にロックされて使用できなくなるので。ＰＨＳ端末１ａの機密情報の流出や他人によるＰＨＳ端末１ａの悪用を防止することができる。
【００４５】
本発明は、上記実施例に限定されるものではなく、発明の趣旨を逸脱しない範囲で、種々、変更してもよい。
【００４６】
例えば、実施例２では、第１の携帯情報端末（親機）５及び第２の携帯情報端末（子機）６を１台ずつ用いた場合について説明したが、第２の携帯情報端末（子機）６を複数の利用者に１台ずつ持たせて、複数台の第２の携帯情報端末（子機）６と第１の携帯情報端末とを交信させてよい。そして、第１の携帯情報端末（親機）５にデジカメ機能、ＰＣ機能、或いはＴＶ機能を付加してもよい。また、第２の携帯情報端末（子機）６の代わりに通信機能を有するゲーム機器を用いてもよい。そして、実施例３では、携帯情報端末と送受信するのはＰＨＳ基地局であるが、２．５ＧＨｚや５ＧＨｚ帯の無線ＬＡＮ基地局と送受信する方式を用いてもよい。更に、実施例１及び２ではＧＰＳ位置情報を、実施例３ではＰＨＳ基地局の位置情報をそれぞれ用いているが、携帯電話基地局の位置情報や無線ＬＡＮ基地局の位置情報を用いてもよい。
【００４７】
本発明は、以下の付記に記載されているような構成が考えられる。  
（付記１）  電波による公衆回線網との無線通信を行う公衆無線通信手段、全世界的測位システムによる位置検出を行うＧＰＳ位置情報演算手段、日時情報発生手段、近距離無線により情報を交信する第１の情報送受信手段、前記ＧＰＳ位置情報演算手段及び前記日時情報発生手段から常に新しい位置情報・日時情報を記憶する第１の記憶手段、守秘性を保つための認証手段を有する第１の携帯情報端末と、電波による公衆回線網との無線通信を行う公衆無線通信手段、前記近距離無線により前記第１の携帯情報端末と情報を交信する第２の情報送受信手段、前記携帯情報端末から常に新しい前記第１の携帯情報端末の位置情報・日時情報を記憶する第２の記憶手段、前記第１の携帯情報端末との相互認証手段を有する第２の携帯情報端末とを備え、前記第１の携帯情報端末と前記第２の携帯情報端末が前記近距離無線による交信範囲外になった場合に、前記第１の携帯情報端末の交信範囲外になる直前の前記第１の携帯情報端末の位置及び日時情報を第１及び第２の記憶手段に保存し、且つ前記第１の携帯情報端末と前記第２の携帯情報端末の相互認証の交換が不可能となり前記第１の携帯情報端末が自動ロックされて使用できなくなる紛失場所及び紛失時間を特定する携帯装置。
【００４８】
（付記２）  電波による公衆回線網との無線通信を行う公衆無線通信手段、全世界的測位システムによる位置検出を行うＧＰＳ位置情報演算手段、外部から電波による日時情報を受信する日時情報受信手段、近距離無線により情報を交信する第１の情報送受信手段、前記ＧＰＳ位置情報演算手段及び前記日時情報受信手段から常に新しい位置情報・日時情報を記憶する第１の記憶手段、守秘性を保つための認証手段を有する第１の携帯情報端末と、電波による公衆回線網との無線通信を行う公衆無線通信手段、前記近距離無線により前記第１の携帯情報端末と情報を交信する第２の情報送受信手段、前記携帯情報端末から常に新しい前記第１の携帯情報端末の位置情報・日時情報を記憶する第２の記憶手段、前記第１の携帯情報端末との相互認証手段を有する第２の携帯情報端末とを備え、前記第１の携帯情報端末と前記第２の携帯情報端末が前記近距離無線による交信範囲外になった場合に、前記第１の携帯情報端末の交信範囲外になる直前の前記第１の携帯情報端末の位置及び日時情報を第１及び第２の記憶手段に保存し、且つ前記第１の携帯情報端末と前記第２の携帯情報端末の相互認証の交換が不可能となり前記第１の携帯情報端末が自動ロックされて使用できなくなる紛失場所及び紛失時間を特定する携帯装置。
【００４９】
（付記３）  電波による公衆回線網との無線通信を行う公衆無線通信手段、基地局との交信有無より位置検出を行う位置情報演算手段、日時情報発生手段、近距離無線により情報を交信する第１の情報送受信手段、前記位置情報演算手段及び前記日時情報発生手段から常に新しい位置情報・日時情報を入手し、記憶する第１の記憶手段を有する携帯情報端末と、前記近距離無線により前記携帯情報端末と情報を交信する第２の情報送受信手段、前記携帯情報端末から常に新しい前記携帯情報端末の位置情報・日時情報を記憶する第２の記憶手段を有する携帯機器とを備え、前記携帯情報端末と前記携帯機器が前記近距離無線による交信範囲外になった場合に、前記携帯情報端末の交信範囲外になる直前の前記携帯情報端末の位置及び日時情報を第１及び第２の記憶手段に保存することを特徴とする紛失場所及び紛失時間を特定する携帯装置。
【００５０】
（付記４）  電波による公衆回線網との無線通信を行う公衆無線通信手段、全世界的測位システムによる位置検出を行うＧＰＳ位置情報演算手段、近距離無線により情報を交信する第１の情報送受信手段、前記ＧＰＳ位置情報演算手段から常に新しい位置情報を入手し、記憶する第１の記憶手段を有する携帯情報端末と、前記近距離無線により前記携帯情報端末と情報を交信する第２の情報送受信手段、日時情報発生手段、前記携帯情報端末から常に新しい前記携帯情報端末の位置情報及び前記日時情報発生手段を記憶する第２の記憶手段、前記日時情報発生手段を前記情報端末に送信して前記情報端末に記憶させる送信手段を有する携帯機器とを備え、前記携帯情報端末と前記携帯機器が前記近距離無線による交信範囲外になった場合に、前記携帯情報端末の交信範囲外になる直前の前記携帯情報端末の位置及び日時情報を第１及び第２の記憶手段に保存することを特徴とする紛失場所及び紛失時間を特定する携帯装置。
【図面の簡単な説明】
【００５１】
【図１】本発明の実施例１に係る携帯情報端末及び携帯機器を示す説明図。
【図２】本発明の実施例１に係る携帯情報端末及び携帯機器を示す概略ブロック図。
【図３】本発明の実施例１に係る携帯情報端末及び携帯機器の動作を示す説明図。
【図４】本発明の実施例２に係る携帯情報端末を示す説明図。
【図５】本発明の実施例２に係る携帯情報端末を示す概略ブロック図。
【図６】本発明の実施例３に係るＰＨＳ端末を示す説明図。
【符号の説明】
【００５２】
１  携帯情報端末
１ａ  ＰＨＳ端末
２  携帯機器
３  基地局
３ａ  ＰＨＳ基地局
４  ＧＰＳ衛星
５  第1の携帯情報端末（親機）
６  第２の携帯情報端末（子機）
１１、４１、５１  主制御部
１２、５２  入力キー部
１３、４７、５３  表示部
１４、５４  スピーカ
１５、４２、５５  電源部
１６  ＧＰＳ受信部
１７、５６  送受信部
１８、４３、５７  受信部
１９、４４、５８  送信部
２０、４５、５９  スイッチ
２１、４６、６０  記憶部
３０、３１、３２、３３、３４、３５  アンテナ
７０、７１  ＲＴＣ部
【図１】
2005260543.tif 000003
【図２】
2005260543.tif 000004
【図３】
2005260543.tif 000005
【図４】
2005260543.tif 000006
【図５】
2005260543.tif 000007
【図６】
2005260543.tif 000008